【手続補正書】
【提出日】平成17年4月27日(2005.4.27)
【手続補正１】
【補正対象書類名】明細書
【補正対象項目名】特許請求の範囲
【補正方法】変更
【補正の内容】
【特許請求の範囲】
【請求項１】
アルキルベンゼン、親水性ポリマー、イソシアネート末端プレポリマー、及びカルボン酸のアルキルエステル、を含む潤滑組成物。
【請求項２】
アルキルベンゼンがトルエン、キシレン、及びスチレンからなる群より選択される請求項１の組成物。
【請求項３】
アルキルベンゼンがトルエンである請求項１の組成物。
【請求項４】
アルキルベンゼンがＣ１−１２アルキルベンベン類からなる群より選択される請求項１の組成物。
【請求項５】
該親水性ポリマーがポリビニルピロリドン、ポリビニルアルコール、ポリアクリル酸もしくはその誘導体、ヒアルロン酸もしくはその塩、及びポリエチレンオキサイドからなる群より選択される請求項１の組成物。
【請求項６】
該親水性ポリマーがポリビニルピロリドンである請求項１の組成物。
【請求項７】
該カルボン酸アルキルエステルが乳酸エチル、安息香酸メチル及びアクリル酸プロポリからなる群より選択される請求項１の組成物。
【請求項８】
該カルボン酸アルキルエステルが乳酸エチルである請求項１の組成物。
【請求項９】
該カルボン酸アルキルエステルがカルボン酸のＣ１−１２アルキルエステル類からなる群より選択される請求項１の組成物。
【請求項１０】
該イソシアネート末端プレポリマーがポリオキシエチレンベースのイソシアネートプレポリマー類からなる群より選択される請求項１の組成物。
【請求項１１】
該イソシアネート末端プレポリマーがトルエンジイソシアネートベースのプレポリマー及びイソフォロンジイソシアネートベースのプレポリマーからなる群より選択される請求項１の組成物。
【請求項１２】
アルキルベンゼン、親水性ポリマー、イソシアネート末端プレポリマー、及びカルボン酸のアルキルエステル、を含む医療機具用潤滑コーティング。
【請求項１３】
アルキルベンゼンがトルエン、キシレン、及びスチレンからなる群より選択される請求項１２のコーティング。
【請求項１４】
アルキルベンゼンがトルエンである請求項１２のコーティング。
【請求項１５】
アルキルベンゼンがＣ１−１２アルキルベンベン類からなる群より選択される請求項１２のコーティング。
【請求項１６】
該親水性ポリマーがポリビニルピロリドン、ポリビニルアルコール、ポリアクリル酸もしくはその誘導体、ヒアルロン酸もしくはその塩、及びポリエチレンオキサイドからなる群より選択される請求項１２のコーティング。
【請求項１７】
該親水性ポリマーがポリビニルピロリドンである請求項１２のコーティング。
【請求項１８】
該カルボン酸アルキルエステルが乳酸エチル、安息香酸メチル及びアクリル酸プロポリからなる群より選択される請求項１２のコーティング。
【請求項１９】
該カルボン酸アルキルエステルが乳酸エチルである請求項１２のコーティング。
【請求項２０】
該カルボン酸アルキルエステルがカルボン酸のＣ１−１２アルキルエステル類からなる群より選択される請求項１２のコーティング。
【請求項２１】
該イソシアネート末端プレポリマーがポリオキシエチレンベースのイソシアネートプレポリマー類からなる群より選択される請求項１２のコーティング。
【請求項２２】
該イソシアネート末端プレポリマーがトルエンジイソシアネートベースのプレポリマー及びイソフォロンジイソシアネートベースのプレポリマーからなる群より選択される請求項１２のコーティング。
【請求項２３】
アルキルベンゼン、親水性ポリマー、イソシアネート末端プレポリマー、及びカルボン酸のアルキルエステルを溶解されるまで混合することからなる潤滑組成物の製法。
【請求項２４】
アルキルベンゼンがトルエン、キシレン、及びスチレンからなる群より選択される請求項２３の方法。
【請求項２５】
アルキルベンゼンがトルエンである請求項２３の方法。
【請求項２６】
アルキルベンゼンがＣ１−１２アルキルベンベン類からなる群より選択される請求項２３の方法。
【請求項２７】
該親水性ポリマーがポリビニルピロリドン、ポリビニルアルコール、ポリアクリル酸もしくはその誘導体、ヒアルロン酸もしくはその塩、及びポリエチレンオキサイドからなる群より選択される請求項２３の方法。
【請求項２８】
該親水性ポリマーがポリビニルピロリドンである請求項２３の方法。
【請求項２９】
該カルボン酸アルキルエステルが乳酸エチル、安息香酸メチル及びアクリル酸プロポリからなる群より選択される請求項２３の方法。
【請求項３０】
該カルボン酸アルキルエステルが乳酸エチルである請求項２３の方法。
【請求項３１】
該カルボン酸アルキルエステルがカルボン酸のＣ１−１２アルキルエステル類からなる群より選択される請求項２３の方法。
【請求項３２】
該イソシアネート末端プレポリマーがポリオキシエチレンベースのイソシアネートプレポリマー類からなる群より選択される請求項２３の方法。
【請求項３３】
該イソシアネート末端プレポリマーがトルエンジイソシアネートベースのプレポリマー及びイソフォロンジイソシアネートベースのプレポリマーからなる群より選択される請求項２３の方法。
【請求項３４】
アルキルベンゼン、親水性ポリマー、イソシアネート末端プレポリマー、及びカルボン酸のアルキルエステル、を含む潤滑組成物で少なくとも部分的に被覆された医療器具。
【請求項３５】
アルキルベンゼンがトルエン、キシレン、及びスチレンからなる群より選択される請求項３４の器具。
【請求項３６】
アルキルベンゼンがトルエンである請求項３４の器具。
【請求項３７】
アルキルベンゼンがＣ１−１２アルキルベンベン類からなる群より選択される請求項３４の器具。
【請求項３８】
該親水性ポリマーがポリビニルピロリドン、ポリビニルアルコール、ポリアクリル酸もしくはその誘導体、ヒアルロン酸もしくはその塩、及びポリエチレンオキサイドからなる群より選択される請求項３４の器具。
【請求項３９】
該親水性ポリマーがポリビニルピロリドンである請求項３４の器具。
【請求項４０】
該カルボン酸アルキルエステルが乳酸エチル、安息香酸メチル及びアクリル酸プロポリからなる群より選択される請求項３４の器具。
【請求項４１】
該カルボン酸アルキルエステルが乳酸エチルである請求項３４の器具。
【請求項４２】
該カルボン酸アルキルエステルがカルボン酸のＣ１−１２アルキルエステル類からなる群より選択される請求項３４の器具。
【請求項４３】
該イソシアネート末端プレポリマーがポリオキシエチレンベースのイソシアネートプレポリマー類からなる群より選択される請求項３４の器具。
【請求項４４】
該イソシアネート末端プレポリマーがトルエンジイソシアネートベースのプレポリマー及びイソフォロンジイソシアネートベースのプレポリマーからなる群より選択される請求項３４の器具。
【請求項４５】
医療器具の少なくとも一部を潤滑性コーティングで被覆する方法であって：
その医療器具を洗浄し；
その医療器具を乾燥させ；
請求項１または１２による潤滑性コーティングを塗布し；
過剰の潤滑性コーティングを除去し；そして
その医療器具を加熱する；ことからなる上記方法。
【請求項４６】
医療器具がカテーテルである請求項４５の方法。
【請求項４７】
医療器具がカテーテル、動脈静脈シャント、胃腸供給管、及び気管内管からなる群より選択される請求項４５の方法。
【請求項４８】
潤滑性コーティングがポリマー；イソシアネート末端プレポリマー；カルボン酸のアルキルエステル；及びトルエン、キシレン及びスチレンからなる群より選択されるアルキルベンゼン；を含む請求項４５の方法。
【請求項４９】
潤滑性コーティングがポリマー；イソシアネート末端プレポリマー；カルボン酸のアルキルエステル；及びトルエン；を含む請求項４５の方法。
【請求項５０】
潤滑性コーティングがポリマー；イソシアネート末端プレポリマー；カルボン酸のアルキルエステル；及びＣ１−１２アルキルベンゼン類からなる群より選択されるアルキルベンゼン；を含む請求項４５の方法。
【請求項５１】
潤滑性コーティングがイソシアネート末端プレポリマー；カルボン酸のアルキルエステル；アルキルベンゼン；及びポリビニルピロリドン、ポリビニルアルコール、ポリアクリル酸もしくはその誘導体、ヒアルロン酸もしくはその塩、及びポリエチレンオキサイドからなる群より選択される親水性ポリマー；を含む請求項４５の方法。
【請求項５２】
潤滑性コーティングがイソシアネート末端プレポリマー；カルボン酸のアルキルエステル；アルキルベンゼン；及びポリビニルピロリドン；を含む請求項４５の方法。
【請求項５３】
潤滑性コーティングがイソシアネート末端プレポリマー；アルキルベンゼン；親水性ポリマー；及び乳酸エチル、安息香酸メチル及びアクリル酸プロポリからなる群より選択されるカルボン酸のアルキルエステル；を含む請求項４５の方法。
【請求項５４】
潤滑性コーティングがイソシアネート末端プレポリマー；アルキルベンゼン；親水性ポリマー；及び乳酸エチル；を含む請求項４５の方法。
【請求項５５】
潤滑性コーティングがイソシアネート末端プレポリマー；アルキルベンゼン；親水性ポリマー；及びカルボン酸のＣ１−１２アルキルエステル類からなる群より選択されるカルボン酸のアルキルエステル；を含む請求項４５の方法。
【請求項５６】
潤滑性コーティングがアルキルベンゼン；親水性ポリマー；カルボン酸のアルキルエステル；及びポリオキシエチレンベースのイソシアネートプレポリマー類から選択されるイソシアネート末端プレポリマー；を含む請求項４５の方法。
【請求項５７】
潤滑性コーティングがアルキルベンゼン；親水性ポリマー；カルボン酸のアルキルエステル；及びトルエンジイソシアネートベースのプレポリマー及びイソフォロンジイソシアネートベースのプレポリマーからなる群より選択されるイソシアネート末端プレポリマー；を含む請求項４５の方法。
【請求項５８】
洗浄が医療器具をイソプロパノールに浸漬することからなる請求項４５の方法。
【請求項５９】
乾燥が医療器具を５０ないし９０℃の強制空気に曝すことからなる請求項４５の方法。
【請求項６０】
乾燥が医療器具を８０℃の強制空気に曝すことからなる請求項４５の方法。
【請求項６１】
潤滑性コーティングの塗布が暖かい医療器具をコーティング中ヘ約２ないし１５秒間浸漬することからなる請求項４５の方法。
【請求項６２】
過剰コーティングの除去が医療器具を室温で，乾燥させることからなる請求項４５の方法。
【請求項６３】
過剰コーティングの除去が、吸収性タオルでの除去からなる請求項４５の方法。
【請求項６４】
ポリビニルピロリドン、乳酸エチル、トルエン及びイソシアネート末端プレポリマーを溶解するまで混合することからなる潤滑組成物の製造方法。
【請求項６５】
１ないし４重量％のポリビニルピロリドン、１５ないし２５重量％の乳酸エチル、６０ないし８０重量％のトルエン及び０．５ないし３重量％のイソシアネート末端プレポリマーを溶解するまで混合することからなる潤滑組成物の製造方法。
【請求項６６】
１ないし４重量％のポリビニルピロリドン、１５ないし２５重量％の乳酸エチル、６０ないし８０重量％のトルエン及び０．５ないし３重量％のイソシアネート末端プレポリマーを含む潤滑組成物。
【請求項６７】
請求項１または６８の潤滑組成物で表面の少なくとも一部を被覆された医療器具を使用する方法であって、その医療器具を包装から取り出し、その器具の被覆された表面へ水分を適用し、そして特定の医療目的のために必要とされる位置にその器具を配置することからなる上記方法。
【請求項６８】
請求項１または６６の潤滑組成物を使用する方法であって、潤滑組成物中で医療器具をディップコートし、器具上の潤滑組成物を乾燥させ、その潤滑組成物で被覆された器具を加熱することにより、その潤滑組成物が湿潤時に器具に低摩擦係数を与えるようにする上記方法。
【請求項６９】
請求項１または６６の潤滑組成物で医療器具コーティングする方法であって、医療器具を清浄化し、乾燥させ、該潤滑組成物中で医療器具を浸漬コーティングし、その器具を空気乾燥し、そしてその器具を加熱することからなる上記方法。